(57)【要約】【課題】筆記圧により芯ホルダー１４が一方向に回転し、この芯ホルダー１４の回転に伴い芯１３及びチャック１を回転させる機構を容易に組み立てることができるシャープペンシルに適用できる。【解決手段】チャック１の頭部１Ａに締具２を外嵌し、この締具２を受け止める連結具５をスライド部材８に回動可能に取り付ける。また、カム部に前カムと後カムを形成するとともに回転部材１２に前カム１２Ｂと後カム１２Ｃを形成する。更に、前軸９に後方に伸びた片９Ｃを構成し、把持部材１１に固定される摺動部材１０に前後に貫通した貫通孔１０Ｂを形成し、この貫通孔１０Ｂを前記前軸９の片９Ｃが挿通してスライド部材８に固定される。前記スライド部材８が、筆圧によるチャック１及び連結具５の前後動と連動して前後動し、カム部と回転部材１２が互いに前後に移動して、芯ホルダー１４を一方向に所定角度毎に回転させる。【選択図】図１
2013154489.tif 000002
【特許請求の範囲】
【請求項１】
チャックの頭部に締具を外嵌し、前記チャックをチャックスプリングにより長手方向後方に付勢し、チャックに押圧された締具を受け止める連結具をスライド部材に対し回動可能に構成し、把持部材に対してスライド部材が長手方向に移動可能で回動不能に構成するとともに、スライド部材に対しカム部を回動不能に構成し、カム部に前カムと後カムを形成するとともに回転部材に前カムと後カムを形成し、前記カム部の前カムと回転部材の前カムを互いに当接可能に構成するとともに、カム部の後カムと回転部材の後カムを互いに当接可能に構成し、更に、前軸に後方に伸びた片を構成し、把持部材に固定される摺動部材に前後に貫通した貫通孔を形成し、この貫通孔を前記前軸の片が挿通してスライド部材に固定され、筆圧によるチャック及び連結具の前後動と連動してスライド部材が前後動することにより、カム部と回転部材が互いに前後に移動し、カム部の前カムと回転部材の前カム及びカム部の後カムと回転部材の後カムが前後して互いに当接することにより回転部材が一方向に回転し、この回転部材と連動して芯ホルダーを所定角度毎に回転させ、芯ホルダーの回転に伴って芯ホルダーに適宜の力で保持された芯を回転させることを特徴とするシャープペンシル。
【発明の詳細な説明】
【技術分野】
【０００１】
本発明は、筆記によるチャック及び連結具の前後動と連動してスライド部材が前後動することにより芯ホルダーが一方向に回転し、この芯ホルダーの回転に伴い芯及びチャックを回転させるシャープペンシルに関するものである。
【背景技術】
【０００２】
一般的に筆記具は若干傾けて筆記するが、シャープペンシルを傾けて筆記すると芯が片減りしてしまうために、芯の端面が楕円状になってしまい筆記幅が次第に太くなってしまうものであった。そのため、細い筆記幅を保つためにはシャープペンシルを回転する必要があった。
この点を解消するために、軸筒内に配設されたチャックユニットの前後動により筆記芯の解除と把持を行い、前記筆記芯を前方に繰り出すことができるように構成されたシャープペンシルであって、前記チャックユニットが、筆記芯を把持した状態で軸芯を中心にして回転可能となるように前記軸筒内に保持されると共に、前記筆記芯の筆記圧による前記チャックユニットの後退動作に伴い、回転子を回転駆動させる回転駆動機構が具備され、前記回転子の回転運動を前記チャックユニットを介して前記筆記芯に伝達するように構成したシャープペンシルが知られている。（特許文献１参照）
【０００３】
しかしながら、上記シャープペンシルは、回転駆動機構が複雑で組立性が悪く、非常にコスト高になってしまうものであった。
【先行技術文献】
【特許文献】
【０００４】
【特許文献１】特許第４２４０４１７号公報
【発明の概要】
【発明が解決しようとする課題】
【０００５】
解決しようとする問題点は、回転駆動機構が複雑で組立性が悪く、低コストで生産することができない点である。
【課題を解決するための手段】
【０００６】
本発明は、チャックの頭部に締具を外嵌し、前記チャックをチャックスプリングにより長手方向後方に付勢し、チャックに押圧された締具を受け止める連結具をスライド部材に対し回動可能に構成し、把持部材に対してスライド部材が長手方向に移動可能で回動不能に構成するとともに、スライド部材に対しカム部を回動不能に構成し、カム部に前カムと後カムを形成するとともに回転部材に前カムと後カムを形成し、前記カム部の前カムと回転部材の前カムを互いに当接可能に構成するとともに、カム部の後カムと回転部材の後カムを互いに当接可能に構成し、更に、前軸に後方に伸びた片を構成し、把持部材に固定される摺動部材に前後に貫通した貫通孔を形成し、この貫通孔を前記前軸の片が挿通してスライド部材に固定され、筆圧によるチャック及び連結具の前後動と連動してスライド部材が前後動することにより、カム部と回転部材が互いに前後に移動し、カム部の前カムと回転部材の前カム及びカム部の後カムと回転部材の後カムが前後して互いに当接することにより回転部材が一方向に回転し、この回転部材と連動して芯ホルダーを所定角度毎に回転させ、芯ホルダーの回転に伴って芯ホルダーに適宜の力で保持された芯を回転させることを最も主要な特徴とする。
【発明の効果】
【０００７】
本発明は、摺動部材の貫通孔を前軸の片が挿通してスライド部材に固定するので、組立性が向上し、低コストで生産できる利点が得られるものである。
【図面の簡単な説明】
【０００８】
【図１】図１は、本発明の実施例１のシャープペンシルを示す断面図である。（実施例１）
【図２】図２は、本発明の実施例１のシャープペンシルを示す主要部拡大断面図である。（実施例１）
【図３】図３は、図２における前軸、スライド部材および摺動部材を示す主要部拡大断面図である。（実施例１）
【図４】図４は、図３のＡ−Ａ線を示す拡大断面図である。（実施例１）
【図５】図５は、図２におけるカム部と回転部材による回転機構の展開状態を示す主要部拡大説明図である。（実施例１）
【図６】図６は、本発明の実施例１のシャープペンシルにおいて筆圧を加えた状態を示す主要部拡大断面図である。（実施例１）
【図７】図７は、図６におけるカム部と回転部材の回転機構の展開状態を示す主要部拡大説明図である。（実施例１）
【図８】図８は、図６の状態から筆圧を解除した状態におけるカム部と回転部材の回転機構の展開状態を示す主要部拡大説明図である。（実施例１）
【図９】図９は、本発明の実施例２のシャープペンシルを示す主要部拡大断面図である。（実施例２）
【図１０】図１０は、図９におけるカム部と回転部材の回転機構の展開状態を示す主要部拡大説明図である。（実施例２）
【図１１】図１１は、本発明の実施例２のシャープペンシルにおいて筆圧を加えた状態を示す主要部拡大断面図である。（実施例２）
【図１２】図１２は、図１１におけるカム部と回転部材による回転機構の展開状態を示す主要部拡大説明図である。（実施例２）
【図１３】図１３は、図１１の状態から筆圧を解除した状態におけるカム部と回転部材による回転機構の展開状態を示す主要部拡大説明図である。（実施例２）
【発明を実施するための形態】
【０００９】
本発明は、筆記によるチャック及び連結具の前後動と連動してスライド部材が前後動することにより芯ホルダーが一方向に回転し、この芯ホルダーの回転に伴い芯を回転させるシャープペンシルを組立性を向上させて実現した。
【実施例１】
【００１０】
以下、図１、図２、図３、図４、図５、図６、図７及び図８に基づいて、本発明における実施例１のシャープペンシルを説明する。また、図１の左側を前方とし、右側を後方とする。先ず、シャープペンシルの機構部は、頭部１Ａが数分割されたチャック１と、チャック１の頭部１Ａに外嵌される締具２と、チャック１の後部に固着されるコネクター３と、コネクター３に圧入固着されるパイプ状の芯タンク４と、締具２を受け止める連結具５と、連結具５とコネクター３の間に取付時荷重が１００ｇ程度で取り付けられるチャックスプリング６とにより構成される。更に、芯タンク４の前部にゴム等の軟質材からなる前Ｏリング７をコネクター３の外鍔３Ａと接触させて取り付ける。
【００１１】
前記機構部をスライド部材８の前方より挿入し、スライド部材８の内鍔８Ａを連結具５の後部外鍔５Ａが挿通し、スライド部材８の内鍔８Ａが連結具５の前部外鍔５Ｂと後部外鍔５Ａの間に回動自在に係合される。前記スライド部材８の前部には雄ネジ部８Ｂが形成されるとともに、スライド部材８の後部には外鍔８Ｃとその後方に後雄ネジ部８Ｄが形成される。
【００１２】
前軸９には、前部に雄ネジ部９Ａと外鍔９Ｂが形成されるとともに、外鍔９Ｂより長手方向後方に伸びた片９Ｃが相対位置に形成される。更に、この片９Ｃには雌ネジ部９Ｄが形成される。また、摺動部材１０は、後部に外鍔１０Ａが形成され、この外鍔１０Ａには半円弧状の貫通孔１０Ｂが左右の対象位置に形成される。
【００１３】
前記摺動部材１０の外鍔表面には凹溝１０Ｃが形成される。また、シリコンゴム等の軟質材あるいは合成樹脂等の硬質材で構成された把持部材１１の前部内面に内鍔１１Ａが形成される。この把持部材１１の内鍔１１Ａが前記摺動部材１０の外鍔１０Ａ表面に形成された凹溝１０Ｃに圧入固着され、摺動部材１０と把持部材１１が連結される。前記摺動部材１０の貫通孔１０Ｂに前軸９の片９Ｃを挿通し、前軸９に対し摺動部材１０を長手方向には摺動可能で回動不能に取り付ける。
【００１４】
次に、回転部材１２を回転させるための回転機構を説明する。回転部材１２に芯１３を５０ｇ程度の摩擦力で保持するゴム等の芯ホルダー１４を取り付ける。この回転部材１２に突部１２Ａを形成し、この突部１２Ａの前面に前カム１２Ｂを形成するとともに、突部１２Ａの後面に後カム１２Ｃを形成する。この回転部材１２の前カム１２Ｂは、図５に示したように、右回転方向に向かって前方に傾斜する多数の傾斜面１２Ｄと、傾斜面１２Ｄと傾斜面１２Ｄの間に位置する垂直面１２Ｅにより構成する。また、回転部材１２の後カム１２Ｃは、右回転方向に向かって後方に傾斜する多数の傾斜面１２Ｆと、傾斜面１２Ｆと傾斜面１２Ｆの間に位置する垂直面１２Ｇにより構成する。先部材１５には前カム１５Ａが形成され、この前カム１５Ａは左回転方向に向かって後方に傾斜する多数の傾斜面１５Ｂと、傾斜面１５Ｂと傾斜面１５Ｂの間に位置する垂直面１５Ｃにより構成する。更に、内駒１６の内側部前面に後カム１６Ａを構成する。この内駒１６の後カム１６Ａは、左回転方向に向かって前方に傾斜する多数の傾斜面１６Ｂと、傾斜面１６Ｂと傾斜面１６Ｂの間に位置する垂直面１６Ｃにより構成する。更にまた、回転部材１２の前カム１２Ｂの傾斜面１２Ｄと後カム１２Ｃの傾斜面１２Ｆは同数で前カム１２Ｂの傾斜面１２Ｆの略中心に後カム１２Ｃの垂直面１２Ｇが位置する。また、先部材１５の前カム１５Ａの傾斜面１５Ｂと内駒１６の後カム１６Ａの傾斜面１６Ｂも回転部材１２の前カム１２Ｂの傾斜面１２Ｄ及び後カム１２Ｃの傾斜面１２Ｆと同数に構成する。前記回転部材１２を先部材１５内に長手方向に摺動可能でかつ回動可能に内蔵する。更にまた、先部材１５の位置決め溝１５Ｄに内駒１６の位置決め突起１６Ｄを挿入して位置決めし、先部材１５に内駒１６を圧入固着する。この先部材１５と内駒１６によりカム部を構成する。すると、先部材１５に形成された前カム１５Ａの垂直面１５Ｃと内駒１６に形成した後カム１６Ａの垂直面１６Ｃが長手方向に合わされている。そして、先部材１５の前カム１５Ａと回転部材１２の前カム１２Ｂを対面させて構成するとともに、回転部材１２の後カム１２Ｃと内駒１６の後カム１６Ａを対面させて構成する。
【００１５】
また、回転部材１２の突部１２Ａは先部材１５の前カム１５Ａと内駒１６の後カム１６Ａの間を長手方向に適宜前後動可能に構成し、先部材１５の前カム１５Ａと回転部材１２の前カム１２Ｂ及び回転部材１２の後カム１２Ｃと内駒１６の後カム１６Ａは当接可能に構成する。更に、先部材１５の内段１５Ｅと回転部材１２の外段１２Ｈとの間に取付時荷重１００ｇ程度で前スプリング１７を取り付け、回転部材１２を長手方向後方に付勢して回転部材１２の後カム１２Ｃを内駒１６の後カム１６Ａに当接させる。
【００１６】
上記先部材１５を前記前軸９の雄ネジ部９Ａに着脱可能に螺合し、先部材１５に内蔵された回転部材１２の後端が摺動部材１０の前端に接触する。
【００１７】
更に、スライド部材８の後方から円筒状の重量体１８を挿入し、重量体１８を芯タンク４の外面とスライド部材８の内面の間に長手方向に摺動可能に遊嵌する。尚、芯タンク４の外面と重量体１８の内面との隙間より重量体１８の外面とスライド部材８の内面との隙間を狭く構成する。
【００１８】
後軸１９にはクリップ２０が一体に構成されるとともに、後軸１９の前方より中子２１を挿入する。この中子２１には内鍔２１Ａ前端にゴム等の軟質材からなる後Ｏリング２２を圧入固着する。また、後軸１９の後方より押圧部材２３を挿入し、中子２１の開口窓２１Ｂに押圧部材２３の係止突起２３Ａを係止するとともに押圧部材２３の前端を中子２１の内鍔２１Ａに当接し、中子２１と押圧部材２３を連結する。更に、後軸１９の内鍔１９Ａと押圧部材２３の外段２３Ｂとの間には取付時荷重３００ｇ程度でリターンスプリング２４を取り付け、押圧部材２３を長手方向後方に付勢する。この押圧部材２３には内孔２３Ｃが形成されて芯１３が通過可能に構成されるとともに、押圧部材２３の後部内側に消しゴム２５が取り付けられる。また、押圧部材２３の後部外側には消しゴム２５を覆うためにノブ２６が着脱可能に嵌合される。
【００１９】
この後軸１９を前記スライド部材８に着脱可能に螺合するとともに、芯タンク４内に予備の芯１３を収納して振出式のシャープペンシルを構成する。
【００２０】
前記シャープペンシルで筆記を行うと、芯１３が紙面に押され図６に示したように、筆圧を受けるチャック１、締具２、連結具５、スライド部材８、先部材１５、前軸９及び内駒１６は停止しているが、スライド部材８に対し手で把持された把持部材１１は前進し、把持部材１１に連結された摺動部材１０も貫通孔１０Ｂが前軸９の片９Ｃを摺動して回動不能に前進する。すると、摺動部材１０に押されて回転部材１２も前スプリング１７を圧縮しながら前進する。そして、回転部材１２の前カム１２Ｂの傾斜面１２Ｄが先部材１５の前カム１５Ａの傾斜面１５Ｂに当接すると、回転部材１２の前カム１２Ｂの傾斜面１２Ｄが先部材１５の前カム１５Ａの傾斜面１５Ｂの略半分を滑って回転部材１２が前方に対して右回転し、図７に示した状態となる。この回転部材１２とともに、回転部材１２に取り付けられた芯ホルダー１４が右回転すると芯１３も右に回転する。この時、芯１３を保持するチャック１も、締具２及び連結具５とともにスライド部材８に対して右に回転する。
【００２１】
次に、筆記を止め芯１３を紙面より離すと、手で把持された把持部材１１に対して、前スプリング１７により前方に付勢された先部材１５、前軸９及びスライド部材８が前進する。すると、先部材１５、前軸９及びスライド部材８とともに、内駒１６、連結具５、締具２及びチャック１が芯１３とともに前進する。しかし、把持部材１１とともに摺動部材１０及び回転部材１２は停止しているので、内駒１６に形成された後カム１６Ａの傾斜面１６Ｂが回転部材１２に形成された後カム１２Ｃの傾斜面１２Ｆに当接し、回転部材１２の後カム１２Ｃの傾斜面１２Ｆが内駒１６の後カム１６Ａの傾斜面１６Ｂの略半分を滑って回転部材１２が前方に対して右回転し、図８に示した状態となる。また、スライド部材８の外鍔８Ｃが把持部材１１の後端に当接し、図１及び図２の状態に復帰する。すると、回転部材１２の後カム１２Ｃの傾斜面１２Ｆは内駒１６の後カム１６Ａの傾斜面１６Ｂを１つ乗り越えて右隣りの傾斜面１６Ｂに当接され、芯１３は回転部材１２の後カム１２Ｃの１つの傾斜面１２Ｆ寸法だけ右に回転する。
【００２２】
この実施例１の場合には、把持部材１１に摺動部材１０が固定されるので、先部材１５と前軸９あるいは前軸９とスライド部材８を分離しても、それぞれに内蔵された部材は外れる心配がなく、また、組立性も向上するものである。
【実施例２】
【００２３】
以下、図９、図１０、図１１、図１２及び図１３に基づいて本発明における実施例２のシャープペンシルを説明する。尚、図２と同一部材は同一の符号を付してその説明を省略する。先ず、摺動部材１１０は、後部に外鍔１１０Ａが形成され、この外鍔１１０Ａには半円弧状の貫通孔が左右の対象位置に形成される。
【００２４】
前記摺動部材１１０の外鍔１１０Ａ表面には凹溝１１０Ｃが形成され、この摺動部材１１０の凹溝１１０Ｃに把持部材１１の内鍔１１Ａが圧入固着され、摺動部材１１０と把持部材１１が連結される。
【００２５】
次に、回転部材１１２を回転させるための回転機構を説明する。先ず、回転部材１１２に芯１３を５０ｇ程度の摩擦力で保持するゴム等の芯ホルダー１４を取り付ける。また、回転部材１１２の前部に芯ガイドパイプ２７を圧入固着する。この回転部材１１２に、前外鍔の後面に形成した前カム１１２Ｂと後外鍔の前面に形成した後カム１１２Ｃを構成する。この回転部材１１２の前カム１１２Ｂは、右回転方向に向かって後方に傾斜する多数の傾斜面１１２Ｄと、傾斜面１１２Ｄと傾斜面１１２Ｄの間に位置する垂直面１１２Ｅにより構成する。また、回転部材１１２の後カム１１２Ｃは、右回転方向に向かって前方に傾斜する多数の傾斜面１１２Ｆと、傾斜面１１２Ｆと傾斜面１１２Ｆの間に位置する垂直面１１２Ｇにより構成する。更に、カム部としての前記摺動部材１１０の内側部に、前端面に形成した前カム１１０Ｄと後段面に形成した後カム１１０Ｅを構成する。この摺動部材１１０の前カム１１０Ｄは、左回転方向に向かって前方に傾斜する多数の傾斜面１１０Ｆと、傾斜面１１０Ｆと傾斜面１１０Ｆの間に位置する垂直面１１０Ｇにより構成する。また、摺動部材１１０の後カム１１０Ｅは、左回転方向に向かって後方に傾斜する多数の傾斜面１１０Ｈと、傾斜面１１０Ｈと傾斜面１１０Ｈの間に位置する垂直面１１０Ｉにより構成する。更に、摺動部材１１０の前カム１１０Ｄの傾斜面１１０Ｆと後カム１１０Ｅの傾斜面１１０Ｈは同数で前カム１１０Ｄの垂直面１１０Ｇと後カム１１０Ｅの垂直面１１０Ｉが長手方向に合わされている。また、回転部材１１２の前カム１１２Ｂの傾斜面１１２Ｄと後カム１１２Ｃの傾斜面１１２Ｆも摺動部材１１０の前カム１１０Ｄの傾斜面１１０Ｆ及び後カム１１０Ｅの傾斜面１１０Ｈと同数で、前カム１１０Ｄの傾斜面１１０Ｆの略中心に後カム１１０Ｅの垂直面１１０Ｉが位置する。前記摺動部材１１０の内側部を前記回転部材１１２の前カム１１２Ｂと後カム１１２Ｃの間に取り付け、回転部材１１２の前カム１１２Ｂと摺動部材１１０の前カム１１０Ｄを対面させるとともに、回転部材１１２の後カム１１２Ｃと摺動部材１１０の後カム１１０Ｅを対面させて構成する。また、回転部材１１２に対し摺動部材１１０は長手方向に適宜前後動可能に構成し、回転部材１１２の前カム１１２Ｂと摺動部材１１０の前カム１１０Ｄ及び回転部材１１２の後カム１１２Ｃと摺動部材１１０の後カム１１０Ｅは当接可能に構成される。更に、前軸９の雄ネジ部９Ａに先部材１１５を着脱可能に螺合し、先部材１１５の係止段１１５Ｆと連結具５の前端との間に回転部材１１２を回動可能に内蔵する。また、先部材１１５の内段１１５Ｅと摺動部材１１０の外段１１０Ｊとの間に前スプリング１１７を取付時荷重１００ｇ程度で取り付け、摺動部材１１０を長手方向後方に付勢する。すると、摺動部材１１０の後カム１１０Ｅが回転部材１１２の後カム１１２Ｃに当接され、図１０に示した状態となる。
【００２６】
前記シャープペンシルで筆記を行うと、芯１３が紙面に押圧され図１１に示したように、筆圧を受けるチャック１、締具２、連結具５、スライド部材８、先部材１１５及び回転部材１１２は停止しているが、スライド部材８に対し手で把持された前軸９及び把持部材１１は前進し、把持部材１１に連結された摺動部材１１０も貫通孔が前軸９の片９Ｃを摺動して回動不能に前進する。そして、摺動部材１１０の前カム１１０Ｄの傾斜面１１０Ｆが回転部材１１２の前カム１１２Ｂの傾斜面１１２Ｄに当接すると、回転部材１１２の前カム１１２Ｂの傾斜面１１２Ｄが摺動部材１１０の前カム１１０Ｄの傾斜面１１０Ｆの略半分を滑って回転部材１１２が前方に対して右回転し、図１２に示した状態となる。この回転部材１１２とともに、回転部材１１２に取り付けられた芯ホルダー１４が右回転すると芯１３も右に回転する。この時、芯１３を保持するチャック１も、締具２及び連結具５とともにスライド部材８に対して右に回転する。
【００２７】
次に、筆記を止め芯１３を紙面より離すと、手で把持された把持部材１１に対して、前スプリング１１７により前方に付勢された先部材１１５、前軸９及びスライド部材８が前進する。すると、先部材１１５、前軸９及びスライド部材８とともに、連結具５、締具２、チャック１及び回転部材１１２が芯１３とともに前進する。しかし、把持部材１１とともに摺動部材１１０及び回転部材１１２は停止しているので、摺動部材１１０に形成された後カム１１０Ｅの傾斜面１１０Ｈが回転部材１１２に形成された後カム１１２Ｃの傾斜面１１２Ｆに当接し、回転部材１１２の後カム１１２Ｃの傾斜面１１２Ｆが摺動部材１１０の後カム１１０Ｅの傾斜面１１０Ｈの略半分を滑って回転部材１１２が前方に対して右回転し、図１３に示した状態となる。また、スライド部材８の外鍔８Ｃが把持部材１１の後端に当接し、図９の状態に復帰する。すると、回転部材１１２の後カム１１２Ｃの傾斜面１１２Ｆは摺動部材１１０の後カム１１０Ｅの傾斜面１１０Ｈを１つ乗り越えて右隣りの傾斜面１１０Ｈに当接され、芯１３は回転部材１１２の後カム１１２Ｃの１つの傾斜面寸法だけ右に回転する。
【００２８】
この実施例２の場合には、先部材１１５に取り付けられる部材が前スプリング１１７のみとなり、摺動部材１１０と回転部材１１２の組立が容易に行える利点が得られる。
【００２９】
尚、本発明は、上記実施例に限定されるものではなく、把持部材、前軸、先部材、スライド部材、回転部材、摺動部材、連結具といった部材は説明を簡略化するためにそれぞれ１個の部材として図示しているが、それぞれ２個以上の部材を螺合、圧入等により一体化すれば良い。また、回転部材に取り付けられる芯ホルダーは、ゴムに限定されるものではなく、金属の板を筒状に形成し、その一部に弾性部を形成したり、あるいは回転部材の一部に弾性部を形成して一体に構成しても良い。更に、上記実施例は回転部材とカム部のいずれか一方の前カムの傾斜面の略中心に後カムの垂直面を位置させ、他方の前カムの垂直面と後カムの垂直面が長手方向に合わされて構成しているが、これは説明を明確にするためであって、本発明は、上記実施例に限定されるものではなく、互いに当接する前カムの傾斜面同士が接触して合致した時、互いに当接可能な後カムの接触面同士は離間するとともに傾斜面寸法の略半分程度円周方向にずれて構成され、かつ、前カムの傾斜面と後カムの傾斜面が円周方向に対して逆向きに傾斜して構成されていれば良い。
【産業上の利用可能性】
【００３０】
筆記によるチャック及び連結具の前後動と連動してスライド部材が前後動することにより芯ホルダーが一方向に回転し、この芯ホルダーの回転に伴い芯を回転することができ、しかも、回転部材の回転機構が容易にかつ廉価に組み立てることができるシャープペンシルに適用できる。
【符号の説明】
【００３１】
１    チャック
１Ａ    チャック１の頭部
２    締具
５    連結具
６    チャックスプリング
８    スライド部材
９    前軸
９Ｃ    前軸９の片
１０    摺動部材
１０Ｂ    摺動部材１０の貫通孔
１１    把持部材
１２    回転部材
１２Ｂ    回転部材１２の前カム
１２Ｃ    回転部材１２の後カム
１３    芯
１４    芯ホルダー
１１０    摺動部材
１１２    回転部材
１１２Ｂ    回転部材１１２の前カム
１１２Ｃ    回転部材１１２の後カム
【図１】
2013154489.tif 000003
【図２】
2013154489.tif 000004
【図３】
2013154489.tif 000005
【図４】
2013154489.tif 000006
【図５】
2013154489.tif 000007
【図６】
2013154489.tif 000008
【図７】
2013154489.tif 000009
【図８】
2013154489.tif 000010
【図９】
2013154489.tif 000011
【図１０】
2013154489.tif 000012
【図１１】
2013154489.tif 000013
【図１２】
2013154489.tif 000014
【図１３】
2013154489.tif 000015